(57)【特許請求の範囲】
【請求項１】
指紋データ及びＩＤ番号が登録されているＩＤカードの所持者の本人認証を行なう指紋照合付カードリーダ装置において、
上記ＩＤカードから指紋データの読み込みを行なわずにＩＤ番号を読み取って、本人認証を行なう上記ＩＤカードの所持者のＩＤ番号を指定するＩＤ番号指定手段と、
上記ＩＤ番号指定手段により指定されたＩＤ番号に対応する指紋データがメモリーに既に記憶されているかどうかをチェックする指紋データ既読み込みチェック手段と、
上記指紋データ既読み込みチェック手段により上記ＩＤ番号指定手段で指定されたＩＤ番号に対応する指紋データが上記メモリーに記憶されていないとチェックされた場合に、上記ＩＤカードの指紋データを読み込んで、上記メモリーにＩＤ番号と指紋データを対応付けて記憶させる指紋データ読み込み手段と、
上記ＩＤカードの所持者の指から指紋データを取り込む指紋データ取り込み装置と、
上記指紋データ既読み込みチェック手段により上記ＩＤ番号指定手段で指定されたＩＤ番号に対応する指紋データが上記メモリーに既に記憶されているとチェックされた場合には、上記指紋データ読み込み手段に上記ＩＤカードから指紋データの読み込みを行なわせないで、上記メモリーに既に記憶されている指紋データと上記指紋データ取り込み装置によって上記ＩＤカードの所持者の指から取り込まれた指紋データとを照合し、本人認証を行なう指紋照合手段と、
を備えたことを特徴とする指紋照合付カードリーダ装置。
【請求項２】
上記ＩＤ番号指定手段には、上記ＩＤカードの所持者のＩＤ番号を入力し得るようにされたテンキーも設けられていることを特徴とする請求項１記載の指紋照合付カードリーダ装置。
【請求項３】
上記メモリーに記憶されたＩＤ番号及び／または指紋データは、上位装置からの指示により消去し得るようにされたことを特徴とする請求項１または請求項２記載の指紋照合付カードリーダ装置。
【請求項４】
上記メモリーに記憶されたＩＤ番号及び／または指紋データは、上記ＩＤカードの排出時に強制的に消去されることを特徴とする請求項１または請求項２記載の指紋照合付カードリーダ装置。
【発明の詳細な説明】
【０００１】
【発明の属する技術分野】
この発明は、指紋照合付カードリーダ装置、特にパソコンのログオンやセキュリティ扉の通行許可等を与えるために、ＩＤカードに内蔵の指紋データと、ＩＤカードの所持者の指紋とを照合し、本人認証を行なう指紋照合付カードリーダ装置に関するものである。
【０００２】
【従来の技術】
図６は、従来の指紋照合付カードリーダ装置の概略構成を示すブロック図である。この図において、１は指紋照合付カードリーダ装置で、以下に述べる各装置によって構成されている。即ち、１０はＩＤカードのリーダーライターで、ＩＤカードや磁気カードあるいはメモリカード等からなるＩＤカード２０の挿入部（図示せず）を有し、ＩＤカードに記録される個人のＩＤ番号や指紋データを書き込んだり読み出したりすることができるようにされている。１１はＩＤカードの指紋データの読み込みを指示すると共に、読み込んだ指紋を保持する指紋データ読み込み手段、１２はＩＤカード所持者の指紋を取り込む指紋センサで、ＩＤカード所持者の指を置く指置き部（図示せず）を有し、その指の指紋を取り込むことができるようにされている。
【０００３】
１３は指紋センサ１２に対して指紋データの取り込みを指示すると共に、取り込んだ指紋を保持する指紋データ取り込み手段、１４は指紋データ読み込み手段１１によって読み込まれたＩＤカード２０の指紋データと、指紋データ取り込み手段１３によって取り込まれたＩＤカード所持者の指紋データとを照合する指紋照合手段、１５は指紋照合手段１４からの照合結果を受けて本人認証を行なう本人認証手段、１６は本人認証結果をパソコン３０あるいはセキュリティ扉の制御装置４０等の上位装置に通知する結果通知手段である。
【０００４】
次に、従来の指紋照合付カードリーダ装置の動作を図７のフローチャートを用いて説明する。ステップＳ１で、パソコン３０やセキュリティ扉の制御装置４０等の上位装置から本人認証要求が来ると、ステップＳ２でパソコン３０を操作しようとする者あるいはセキュリティ扉４０を通行しようとする者が所持しているＩＤカード２０を指紋照合付カードリーダ装置１のＩＤカードＲ／Ｗ１０に挿入する。次に、ステップＳ３で指紋データ読み込み手段１１が動作してＩＤカード２０内の指紋データＦcardを読み込む。続いてステップＳ４でＩＤカード所持者の指を指紋センサ１２の指置き部に置くように指示し、その指紋データＦinを取り込む。その後、ステップＳ５で指紋照合手段１４が動作し、指紋データ読み込み手段１１によって読み込まれたＩＤカードの指紋データＦcardと、指紋データ取り込み手段１３によって取り込まれたＩＤカード所持者の指紋データＦinとを比較照合する。
【０００５】
両指紋データＦcardとＦinとが一致した場合には、ステップＳ６で本人認証手段１５にその旨が伝達され、本人認証が行なわれると共に、ＩＤカードＲ／Ｗ１０を経てＩＤカード２０からＩＤ番号を読み出し、ステップＳ７で結果通知手段１６を介してＩＤ番号と本人認証結果がパソコン３０あるいはセキュリティ扉の制御装置４０等の上位装置に通知される。また、ステップＳ５で両指紋データが一致しなかった場合には、本人認証手段１５にその旨が伝達され、ステップＳ７で結果通知手段１６を介して上位装置に通知される。
【０００６】
【発明が解決しようとする課題】
従来の指紋照合付カードリーダ装置は以上のように構成され、上位装置からの本人認証要求の都度、ＩＤカードからの指紋データの読み込みと、指紋センサからのＩＤカード所持者の指紋データ取り込みを行ない、両指紋データの照合を行なっていたため、照合結果を得るのに長時間を要するという問題点があった。
また、パソコンの操作者あるいはセキュリティ扉を通行しようとする者がＩＤカードを所持し忘れた場合には、本人認証ができないという問題点があった。
この発明は、上記のような問題点に対処するためになされたもので、照合結果を短時間で得ることができ、また、ＩＤカードを所持し忘れた場合でも本人認証を行なうことができる指紋照合付カードリーダ装置を提供することを目的とする。
【０００７】
【課題を解決するための手段】
この発明に係る指紋照合付カードリーダ装置は、指紋データ及びＩＤ番号が登録されているＩＤカードの所持者の本人認証を行なう指紋照合付カードリーダ装置において、上記ＩＤカードから指紋データの読み込みを行なわずにＩＤ番号を読み取って、本人認証を行なう上記ＩＤカードの所持者のＩＤ番号を指定するＩＤ番号指定手段と、上記ＩＤ番号指定手段により指定されたＩＤ番号に対応する指紋データがメモリーに既に記憶されているかどうかをチェックする指紋データ既読み込みチェック手段と、上記指紋データ既読み込みチェック手段により上記ＩＤ番号指定手段で指定されたＩＤ番号に対応する指紋データが上記メモリーに記憶されていないとチェックされた場合に、上記ＩＤカードの指紋データを読み込んで、上記メモリーにＩＤ番号と指紋データを対応付けて記憶させる指紋データ読み込み手段と、上記ＩＤカードの所持者の指から指紋データを取り込む指紋データ取り込み装置と、上記指紋データ既読み込みチェック手段により上記ＩＤ番号指定手段で指定されたＩＤ番号に対応する指紋データが上記メモリーに既に記憶されているとチェックされた場合には、上記指紋データ読み込み手段に上記ＩＤカードから指紋データの読み込みを行なわせないで、上記メモリーに既に記憶されている指紋データと上記指紋データ取り込み装置によって上記ＩＤカードの所持者の指から取り込まれた指紋データとを照合し、本人認証を行なう指紋照合手段と、を備えたものである。
【０００８】
この発明に係る指紋照合付カードリーダ装置は、また、上記ＩＤ番号指定手段には、上記ＩＤカードの所持者のＩＤ番号を入力し得るようにされたテンキーも設けられているものである。
【０００９】
この発明に係る指紋照合付カードリーダ装置は、また、上記メモリーに記憶されたＩＤ番号及び／または指紋データを、上位装置からの指示により消去し得るようにしたものである。
【００１０】
この発明に係る指紋照合付カードリーダ装置は、また、上記メモリーに記憶されたＩＤ番号及び／または指紋データを、上記ＩＤカードの排出時に強制的に消去するようにしたものである。
【００１１】
【発明の実施の形態】
実施の形態１．
以下、この発明の実施の形態１を図にもとづいて説明する。図１は、実施の形態１の概略構成を示すブロック図である。この図において、５０は実施の形態１による指紋照合付カードリーダ装置で、図６と同一または相当部分には同一符号を付して説明を省略する。図６と異なる点は、ＩＤカードから指紋データ及びＩＤ番号を読み出した時、一時記憶用のメモリーに記憶し、本人認証に際してはメモリーに記憶された指紋データと、指紋センサから取り込まれたＩＤカード所持者の指紋データとを比較照合し、その後、再度の本人認証が必要となった場合には、ＩＤカードから指紋データを読み込むことなく、メモリーに記憶された指紋データを使用するようにした点である。
【００１２】
図１において、５１はＩＤカードから読み込まれた指紋データをＩＤ番号と共に一時的に記憶するメモリー、５２はテンキーで、パソコン等の操作者がＩＤカードを所持し忘れた時に、ＩＤカードの代替としてＩＤ番号を入力するためのものである。５３はテンキー５２の入力にもとづいてＩＤ番号を指定するＩＤ番号指定手段、５４は指定されたＩＤ番号の指紋データがメモリー５１に既に格納されているかどうかをチェックする指紋データ既読み込みチェック手段で、メモリー５１にＩＤ番号対応の指紋データが格納されていないことが判明した場合には、指紋データ読み込み手段１１を動作させてＩＤカード２０からの指紋データの読み込みとメモリー５１への格納を行なわせる。５５はＩＤカード２０のＩＤカードＲ／Ｗ１０への挿入状態が継続しているかどうかを検出するカード挿入継続検出手段で、ＩＤカードが排出された時は、ＩＤカード２０に対応するメモリー５１内の指紋データ及びＩＤ番号の消去指令を出すことができるようにされている。５６はカード挿入継続検出手段５５からの消去指令あるいはパソコン３０やセキュリティ扉制御装置４０等の上位装置からの指示を受けた時、メモリー５１内の所定の指紋データ及びＩＤ番号を消去する一時データ消去手段である。
【００１３】
図２は、この実施の形態のハードウェアの構成を示すブロック図である。
この図において、６０は指紋照合付カードリーダ装置５０の全体制御、処理を行なうＣＰＵ、６１は指紋センサ１２とＣＰＵ６０とを接続するＡ／Ｄ変換回路、６２はテンキー５２及び表示部となるＬＣＤ６３とＣＰＵ６０とを接続するＩ／Ｏ回路、６４はＩＤカード２０とのデータアクセス部であるＩＤカードＲ／Ｗ１０とＣＰＵ６０とを接続するＩ／Ｏ回路、５１は上述した指紋データ等を一時的に格納するメモリー、６５はパソコン３０、セキュリティ扉制御装置４０等の上位装置に本人認証結果を通知する通信Ｉ／Ｆ回路である。
【００１４】
図３は、実施の形態１をパソコンのログオンあるいはセキュリティ扉の通行許可のための本人認証装置に適用した場合の具体的構成の一例を示す概略図で、（ａ）はセキュリティ扉の場合、（ｂ）はパソコンの場合をそれぞれ示す。
（ａ）において、７０は通行しようとする扉７１の手前の壁面等に設置された扉用指紋照合付カードリーダ装置、７２はＩＤカードの挿入口で、通行しようとする者７３が所持しているＩＤカード２０を挿入する。７４は指置き部で、通行しようとする者７３が自分の指をこの部分に置くことにより指紋が取り込まれる。
６３はＬＣＤで、例えば「指を置いて下さい」等の表示や比較照合結果、通行可否の表示等が手順に従って行なわれる。５２はＩＤカード２０を所持し忘れた場合のＩＤ番号入力用のテンキーである。また、（ｂ）において、８０はパソコンのログオン用指紋照合付カードリーダ装置で、扉用の場合と同様に、ＩＤカード挿入口８２、指置き部８４及びテンキー５２等が設けられている。
【００１５】
次に、実施の形態１の動作を図４に示すフローチャートを用いて説明する。
ステップＳ１１でパソコン３０、セキュリティ扉の制御装置４０等の上位装置から本人認証の要求があった場合、パソコンの操作者あるいは扉を通行しようとする者がＩＤカードを所持している場合には、ステップＳ１２で上述したＩＤカード挿入口７２あるいは８２にＩＤカード２０を挿入する。次に、ステップＳ１３でＩＤカードＲ／Ｗ１０によりＩＤカード２０のＩＤ番号を読み取り、ＩＤ番号指定手段５３によってＩＤ番号を指定する。
ステップＳ１１でパソコンの操作者あるいは扉を通行しようとする者がＩＤカード２０を所持していない場合には、ステップＳ１４でテンキー５２にＩＤ番号を入力し、ＩＤ番号指定手段５３によってＩＤ番号を指定する。続いてステップＳ１５で指紋データ既読み込みチェック手段５４によってメモリー５１内に指定されたＩＤ番号の指紋データが既に格納されているかどうかをチェックし、格納されている場合には、ステップＳ１８でメモリー５１から指紋データを取り込み指紋照合手段１４に送る。
【００１６】
ステップＳ１５でメモリー５１に指紋データが格納されていない場合には、ＩＤカードＲ／Ｗ１０及び指紋データ読み込み手段１１によってＩＤカード２０から指紋データを読み込み、ステップＳ１７でＩＤ番号と共に記録する。
次いで、ステップＳ１８で、メモリー５１の指紋データを指紋照合手段１４に送り、ステップＳ１９で指紋センサ１２及び指紋データ取り込み手段１３によって取り込まれたパソコン操作者あるいは扉通行者の指紋データと比較照合する。照合結果はＯＫの場合もＮＧの場合もステップＳ２０で照合結果通知手段１６を介して上位装置に通知される。照合結果がＯＫの場合は、パソコンログオンあるいは扉の通行が許容され、ＮＧの場合は、操作者あるいは扉を通行しようとする者がＩＤカード２０の登録者に成りすましたと判断して一時データ消去手段５６によりメモリー５１内の当該データを強制的に消去し、ＩＤカード２０を強制排出することになる。
【００１７】
なお、パソコンの操作中等に再度の本人認証が要求された場合には、図５に示すフローチャートによって処理されることになる。
この図において、ステップＳ２１〜Ｓ２３は、図４のフローを重複して示すものである。即ち、ステップＳ２１は図４のステップＳ１２に相当し、ステップＳ２２は図４には示されていないが、ＩＤカード２０の挿入によって同一操作者が操作を継続していると想定して継続フラグをＯＮするようになっている。
ステップＳ２３は図４のステップＳ１３〜Ｓ２０を含み、指紋データの照合結果がＯＫとなってパソコンの操作が許容されている状態を示す。この状態において、ステップＳ２４で上位装置であるパソコン３０から再度、本人認証要求があった場合には、ステップＳ２５で指紋センサ１２及び指紋データ取り込み手段１３によって操作者の指紋データを取り込み、指紋照合手段１４に送る。この場合、ＩＤカード２０内の指紋データを再び読み込むことはせず、メモリー５１に格納されている所定のＩＤ番号の指紋データを指紋照合手段１４に送ってステップＳ２６で比較照合する。
【００１８】
照合結果がＯＫの場合には継続操作と判定し、ステップＳ２７でその旨を上位装置に通知する。照合結果がＮＧの場合には、別人が当初の操作者に成りすましていると判定し、ステップＳ３０でメモリー５１の当該ＩＤ番号と指紋データとを強制消去し、ステップＳ３１でＩＤカード挿入継続フラグをＯＦＦして、ステップＳ３２でＩＤカードを強制排出する。また、ステップＳ２３でＩＤカードの挿入継続中に、ステップＳ２８で上位装置であるパソコンから本人認証の終了通知があった場合には、セキュリティ上の不正防止のためメモリー５１内の当該データを消去するかどうかをステップＳ２９で確認し、消去する場合は、上述したステップＳ３０に進んで消去し、消去しない場合は、上述したステップＳ３１に進んでＩＤカード挿入継続フラグをＯＦＦにし、ＩＤカードを強制排出する。
【００１９】
【発明の効果】
この発明に係る指紋照合付カードリーダ装置は、指紋データ及びＩＤ番号が登録されているＩＤカードの所持者の本人認証を行なう指紋照合付カードリーダ装置において、上記ＩＤカードから指紋データの読み込みを行なわずにＩＤ番号を読み取って、本人認証を行なう上記ＩＤカードの所持者のＩＤ番号を指定するＩＤ番号指定手段と、上記ＩＤ番号指定手段により指定されたＩＤ番号に対応する指紋データがメモリーに既に記憶されているかどうかをチェックする指紋データ既読み込みチェック手段と、上記指紋データ既読み込みチェック手段により上記ＩＤ番号指定手段で指定されたＩＤ番号に対応する指紋データが上記メモリーに記憶されていないとチェックされた場合に、上記ＩＤカードの指紋データを読み込んで、上記メモリーにＩＤ番号と指紋データを対応付けて記憶させる指紋データ読み込み手段と、上記ＩＤカードの所持者の指から指紋データを取り込む指紋データ取り込み装置と、上記指紋データ既読み込みチェック手段により上記ＩＤ番号指定手段で指定されたＩＤ番号に対応する指紋データが上記メモリーに既に記憶されているとチェックされた場合には、上記指紋データ読み込み手段に上記ＩＤカードから指紋データの読み込みを行なわせないで、上記メモリーに既に記憶されている指紋データと上記指紋データ取り込み装置によって上記ＩＤカードの所持者の指から取り込まれた指紋データとを照合し、本人認証を行なう指紋照合手段と、を備えたものであるため、簡単に短時間で指紋データの比較照合結果を得ることができる。
【００２０】
この発明に係る指紋照合付カードリーダ装置は、また、上記ＩＤ番号指定手段には、上記ＩＤカードの所持者のＩＤ番号を入力し得るようにされたテンキーも設けられているものであり、メモリーの記憶データを消去せずに残しておくことにより、パソコンの操作者あるいはセキュリティ扉の通行者がＩＤカードを所持し忘れた場合でも本人認証を行なうことができる。
【００２１】
この発明に係る指紋照合付カードリーダ装置は、また、上記メモリーに記憶されたＩＤ番号及び／または指紋データを、上位装置からの指示により消去し得るようにしたものであるため、不正に使用されることを防止することができ、的確なセキュリティ管理を実施することができる。
【００２２】
この発明に係る指紋照合付カードリーダ装置は、また、上記メモリーに記憶されたＩＤ番号及び／または指紋データを、上記ＩＤカードの排出時に強制的に消去するようにしたため、その後に利用する別人が本人に成りすまして継続利用することを防止することができる。
【図面の簡単な説明】
【図１】  この発明の実施の形態１の概略構成を示すブロック図である。
【図２】  実施の形態１のハードウェアの構成を示すブロック図である。
【図３】  実施の形態１をパソコンのログオンあるいはセキュリティ扉の通行許可のための本人認証に適用した場合の具体的構成の一例を示す概略図で、（ａ）はセキュリティ扉の場合、（ｂ）はパソコンの場合をそれぞれ示す。
【図４】  実施の形態１の動作を説明するためのフローチャートである。
【図５】  実施の形態１の動作中に再度の本人認証が要求された場合の動作を説明するためのフローチャートである。
【図６】  従来の指紋照合付カードリーダ装置の概略構成を示すブロック図である。
【図７】  従来の指紋照合付カードリーダ装置の動作を説明するためのフローチャートである。
【符号の説明】
１０  ＩＤカードＲ／Ｗ、    １１  指紋データ読み込み手段、    １２  指紋センサ、    １３  指紋データ取り込み手段、    １４  指紋照合手段、    １６  照合結果通知手段、    ２０  ＩＤカード、    ３０  パソコン、    ４０  セキュリティ扉制御装置、    ５０  指紋照合付カードリーダ装置、    ５１  メモリー、    ５２  テンキー、    ５３  ＩＤ番号指定手段、    ５４  指紋データ既読み込みチェック手段、    ５５  ＩＤカード挿入継続検出手段、
５６  一時データ消去手段。
【図１】
0004010875.tif 000002
【図２】
0004010875.tif 000003
【図３】
0004010875.tif 000004
【図４】
0004010875.tif 000005
【図５】
0004010875.tif 000006
【図６】
0004010875.tif 000007
【図７】
0004010875.tif 000008